【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
空気を吹出すノズル吹出口を有するノズル本体と、
前記ノズル吹出口に設けられ、前記ノズル吹出口から吹出される空気の方向を調節する上下風向板と、
該上下風向板を駆動する駆動モーターと、
前記上下風向板の回転軸に接続されるとともに、前記ノズル吹出口の側壁を隔てて前記ノズル吹出口から吹出される空気の風路の外側に配置され、前記駆動モーターの駆動力を前記上下風向板に伝達するリンク機構と、を備え、
前記駆動モーターが、前記ノズル本体の背面に設けられたことを特徴とする空気調和機。
【請求項２】
前記リンク機構は、上下風向板側リンク機構と駆動モーター側リンク機構を有し、このモータ側リンク機構から動力を伝達する支点が、前記上下風向板の回転軸に接続された前記上下風向板側リンク機構の支点とは別の位置に設けられたことを特徴とする請求項１記載の空気調和機。
【請求項３】
前記リンク機構と前記駆動モーターを、ケースに一体に収納し、ワンタッチで前記ノズル本体に取り付け可能としたことを特徴とする請求項１または請求項２に記載の空気調和機。
【請求項４】
前記駆動モーターのコネクタ接続部の保護カバーを前記ケースに取り付け可能としたことを特徴とする請求項３記載の空気調和機。
【請求項５】
前記リンク機構と前記駆動モーターを、前記ノズル吹出口の両側に設置したことを特徴とする請求項１から３のいずれかに記載の空気調和機。
【手続補正２】
【補正対象書類名】明細書
【補正対象項目名】全文
【補正方法】変更
【補正の内容】
【発明の詳細な説明】
【発明の名称】空気調和機の上下風向板駆動機構
【技術分野】
【０００１】
この発明は、空気調和機のノズル吹出口から吹出される空気の風向を調節する上下風向板を駆動する上下風向板駆動機構に関するものである。
【背景技術】
【０００２】
従来の上下風向板を備えた空気調和機は、上下風向板の回転軸上に、それを駆動するモーターを並列に配置していた。（例えば、特許文献１参照。）
【０００３】
【特許文献１】特開平０２−５７８５６号公報
【発明の開示】
【発明が解決しようとする課題】
【０００４】
従来の上下風向板を備えた空気調和機は、上下風向板の回転軸上に、それを駆動するモーターを並列に配置していたため、モーターの厚さ分のスペースが必要であった。このモーターはノズル吹出口の長手方向への拡大を邪魔する位置にあり、しかもこのモーターの配置スペースは大きいため、ノズル吹出口の長手方向への拡大が困難であるという問題があった。
また、上下風向板駆動機構は複数の部品で構成されており、ノズル本体に取付ける際には直接手で触れることは厄介であるだけでなく、危険を伴うため、熟練者でなければこの上下風向板駆動機構を容易に取付けられないという問題があった。
また、駆動モーターのコネクタ接続部に露が垂れるとショートや腐食などの問題が発生するので、露が垂れないような位置に駆動モーターを配置しなければならないという問題があった。
【０００５】
この発明は、上記のような課題を解決するためになされたもので、第１の目的は上下風向板を駆動するモーターの配置スペースを上下風向板の回転軸上以外に有効に配置可能で、かつノズル吹出口を長手方向へ最大限拡大できる空気調和機を得るものである。
【０００６】
また、第２の目的は複数の部品で構成された上下風向板駆動機構をノズル本体に容易に取り付け可能な空気調和機を得るものである。
また、第３の目的は駆動モーターのコネクタ接続部付近に露が垂れた場合でも、安全な空気調和機を得るものである。
【課題を解決するための手段】
【０００７】
この発明に係る空気調和機の上下風向板駆動機構は、上下風向板を駆動する駆動モーターが、ノズル本体の背面に設けられたものである。
【発明の効果】
【０００８】
この発明の空気調和機の上下風向板駆動機構は、上下風向板を駆動する駆動モーターが、ノズル本体の背面に設けられるように構成したので、上記駆動モーターのスペースを上下風向板の回転軸上以外に有効に配置可能で、かつノズル吹出口を長手方向へ最大限拡大できる空気調和機を得ることができるという効果を有する。
【発明を実施するための最良の形態】
【０００９】
実施の形態１．
図１は、空気調和機の室内機の外観を示す斜視図であり、図２は上下風向板駆動機構の外観を示す斜視図である。また、図３はこの発明の実施の形態１における空気調和機の上下風向板駆動機構の全体斜視図であり、図４は図３におけるノズル本体を除く機構（以下、上下風向板駆動機構と呼ぶ）の側面図である。また、図５３はケース収納時の上下風向板駆動機構の斜視図であり、図６はケース収納された上下風向板駆動機構のノズル本体への取付け状況を示すものである。
図１ではノズル吹出口１５とこのノズル吹出口１５から吹出される空気の方向を調節する上下風向板１３が示されており、図２ではノズル吹出口とノズル本体１４と駆動モーター７との配置関係が示されている。空気調和機の上下風向板駆動機構は、図３に示すように上下風向板側リンク１、駆動モーター側リンク２、上側風向板シャフト３、下側風向板シャフト４、モーター側シャフト６から構成され、上下風向板駆動機構はノズル吹出口１５の側壁１６を隔てて、風路の外側に配置されている。さらに、駆動モーター７は、ノズル吹出口１５の背面壁１７を隔てて、風路の内側に配置されている。また、上下風向板１３は、上側風向板シャフト３および下側風向板シャフト４に接続されている。
また、上下風向板駆動機構は、図４に示すように上下風向板１３を連動させる上下風向板リンク機構９と、駆動モーター７からの動力をリンク機構９に伝えるモーターリンク機構１０から構成され、リンク機構９で構成される下側風向板シャフト４にリンク機構１０を連結する支点５を設けている。
また、上下風向板駆動機構は、図５に示すようにケース１１に収納され、ケース１１の駆動モーターのコネクタ接続部８には保護カバー１２が取付けられている。
また、図６に示すように、ケース１１に収納された上下風向板駆動機構は、そのままノズル本体１４に取付けられる。
【００１０】
次に動作について説明する。
このように構成された空気調和機の上下風向板駆動機構において、ケースに収納された上下風向板駆動機構は、ノズル本体１４の側面方向からワンタッチで取付けられる。駆動モーターはノズル吹出口の背面壁を隔てて、風路の内側に配置され、ノズル吹出口の側壁の外側には上下風向板駆動機構とケース、保護カバーのみが配置される。また、駆動モーターからの動力は、モーターリンク機構を介して、下側風向板シャフト４に伝達され、さらに上下風向板リンク機構９へと動力を伝達することで上下風向板が回転する。
【００１１】
以上のように、上下風向板駆動機構が配置されるため、上下風向板を駆動するモーターのスペースを上下風向板の回転軸上以外に有効に配置可能で、かつノズル吹出口を長手方向へ最大限拡大できる空気調和機を得ることができる。
【００１２】
なお、駆動モーター７はノズル吹出口１５の背面壁を隔てた風路の内側に配置されるだけでなく、ノズル吹出口側を除いたノズル本体１４の長手方向の周囲かつ風路の内側であればどこに配置でもよい。この場合も同様の効果を奏する。
【００１３】
また、図７に示すように、上下風向板１３の回転軸に接続されたリンク機構の支点の位置（図７のＡで示した部分を参照）に駆動モーター７からの動力伝達用の支点を設けた場合、駆動モーター側のリンク機構の平行四辺形の角度が狭い（図７のＢで示した部分を参照）ため、駆動モーター７からの動力が伝わりにくいという問題がある。そこで、図８に示すように、上下風向板１３の回転軸に接続されたリンク機構の支点とは別の位置（図８のＣで示した部分を参照）に駆動モーター７からの動力伝達用の支点を設けることで、駆動モーター側のリンク機構の平行四辺形の角度が緩くなり（図８のＤで示した部分を参照）、駆動モーター７からの動力が伝わりやすくなる。
【００１４】
また、上下風向板駆動機構は、リンク機構と上下風向板１３を駆動する駆動モーター７を、ケース１１に一体に収納するように構成したため、ノズル本体１４に容易に取り付け可能できる空気調和機を得ることができる。
【００１５】
また、ケース１１に保護カバー１２を取り付け可能としたため、万が一駆動モーター７のコネクタ接続部付近に露が垂れても、安全な空気調和機を得ることができる。
【００１６】
実施の形態２．
以上の実施の形態１では、上下風向板駆動機構をノズル吹出口１５の片側に配置した場合について説明したが、吹出口１５の反対側に配置しても実施の形態１と全く同様な効果が得られる。
【図面の簡単な説明】
【００１７】
【図１】この発明の実施の形態１における空気調和機の室内機の外観を示す斜視図である。
【図２】この発明の実施の形態１における上下風向板駆動機構の外観を示す斜視図である。
【図３】この発明の実施の形態１における上下風向板駆動機構を示す全体斜視図である。
【図４】この発明の実施の形態１におけるノズル本体を除く上下風向板駆動機構の側面図である。
【図５】この発明の実施の形態１におけるケース収納時の上下風向板駆動機構の斜視図である。
【図６】この発明の実施の形態１におけるケース収納された上下風向板駆動機構のノズル本体への取付け状況を示す斜視図である。
【図７】この発明の実施の形態１における上下風向板駆動機構を示すモデル図（その１）である。
【図８】この発明の実施の形態１における上下風向板駆動機構を示すモデル図（その２）である。
【符号の説明】
【００１８】
１  上下風向板側リンク、  ２  駆動モーター側リンク、  ３  上側風向板シャフト、  ４  下側風向板シャフト、  ５  支点、  ６  モーター側シャフト、
７  駆動モーター、  ８  コネクタ接続部、  ９  上下風向板リンク機構、
１０  モーターリンク機構、  １１  ケース、  １２  保護カバー、
１３  上下風向板、  １４  ノズル本体、  １５  ノズル吹出口、
１６  ノズル吹出口側壁、  １７  ノズル吹出口背面壁。